(57)【要約】【課題】  水門扉の作動確認を、人力を必要とせず、かつ、作業者の目視判断に委ねることなく確実に行う方法と装置を提供する。【解決手段】  駆動源によって正逆回転するドラム２の回転により、扉体４に取付けたシーブ５を介してドラム２とロープ端末装置３を繋いだワイヤーロープ６を巻き取り、水門扉を開放する巻上装置の、ロープ端末装置３に、ワイヤーロープ６の他端部の移動機構７を備える。ドラム２の駆動源による駆動と、ワイヤーロープ６の他端部の移動機構７による移動を同調させる制御装置９を備える。例えばドラム２の回転によるワイヤーロープ６の一端側の巻き戻しと、ロープ端末装置３に固定されたワイヤーロープ６の他端部の引き戻しを同調して行う。【効果】  水門扉を開放せずにその作動を確認するに際し、人力を必要とせずに機械的に、また、その際のシーブの作動確認を作業者の目視判断に委ねることなく確実に行うことができる。【選択図】  図１
2007023510.tif 000002
【特許請求の範囲】
【請求項１】
一端側はドラムに巻き回され、他端部はロープ端末装置に固定されると共に、中間部を扉体に取付けられたシーブに掛け回したワイヤーロープの巻き取り、巻き戻しによって水門扉の開閉を行う巻上装置における巻上動作を確認する方法であって、
前記ドラムの回転によるワイヤーロープの一端側の巻き戻しにより、前記シーブの一方側のワイヤーロープに弛みを発生させた後、前記ロープ端末装置に固定されたワイヤーロープ他端部の引き戻しにより、前記シーブの他方側のワイヤーロープの弛みをとる、
或いは、
前記ロープ端末装置に固定されたワイヤーロープ他端部の送り出しにより、前記シーブの他方側のワイヤーロープに弛みを発生させた後、前記ドラムの回転によるワイヤーロープの一端側の巻き取りにより、前記シーブの一方側のワイヤーロープの弛みをとることを特徴とする水門扉の巻上動作確認方法。
【請求項２】
一端側はドラムに巻き回され、他端部はロープ端末装置に固定されると共に、中間部を扉体に取付けられたシーブに掛け回したワイヤーロープの巻き取り、巻き戻しによって水門扉の開閉を行う巻上装置における巻上動作を確認する方法であって、
前記ドラムの回転によるワイヤーロープの一端側の巻き戻しと、前記ロープ端末装置に固定されたワイヤーロープ他端部の引き戻し、
或いは、
前記ドラムの回転によるワイヤーロープの一端側の巻き取りと、前記ロープ端末装置に固定されたワイヤーロープ他端部の送り出し、
を同調して行うことを特徴とする水門扉の巻上動作確認方法。
【請求項３】
駆動源によって正逆回転するドラムの回転により、扉体に取付けたシーブを介してドラムとロープ端末装置を繋いだワイヤーロープを巻き取り、水門扉を開放する巻上装置において、
前記ロープ端末装置に、このロープ端末装置に固定された前記ワイヤーロープの他端部の移動機構を備えたことを特徴とする請求項１又は２に記載の水門扉の巻上動作確認方法を実施する巻上装置。
【請求項４】
前記ドラムの駆動源による駆動と、前記ロープ端末装置に固定された前記ワイヤーロープの他端部の移動機構による移動を同調させる制御装置を備えたことを特徴とする請求項３に記載の巻上装置。
【請求項５】
前記ワイヤーロープの張力計測装置を備えたことを特徴とする請求項３又は４に記載の巻上装置。
【発明の詳細な説明】
【技術分野】
【０００１】
本発明は、水門に設置される水門扉の巻上動作を確認する方法、及び、この方法を実施するのに適した巻上装置に関するものである。
【背景技術】
【０００２】
水利上の問題から、或いは、河口付近の水門では海水遡上の問題から、通常時は解放できない水門がある。しかしながら、このような水門であっても、大雨、洪水時等には開放しなければならない場合がある。従って、水門扉の作動を確認するために定期的な点検を行う必要があるが、前述の理由により点検時においても水門扉を開放できない。
【０００３】
ところで、水門扉の巻上装置は、例えば図２に示すように、架台１上に、図示省略した駆動源によって正逆回転するドラム２とロープ端末装置３が設置され、前記ドラム２に巻き回され、扉体４に回転自在に取付けられたシーブ５を介して導かれたワイヤーロープ６の反ドラム側端部を前記ロープ端末装置３によって固定した構成である。
【特許文献１】特開２００１−５５７２２号公報
【０００４】
なお、図２に示したロープ端末装置３は、ワイヤーロープ６の反ドラム側端部にスピンドル３ａを連結し、このスピンドル３ａのねじ部にナット３ｂを螺合させることにより、ワイヤーロープ６の長さを調整でき、また、スピンドル３ａを球面座３ｃで支持することでワイヤーロープ６の傾きに対応できるものを示している。
【発明の開示】
【発明が解決しようとする課題】
【０００５】
このようなワイヤーロープの反ドラム側端部が固定された従来の巻上装置では、前述の理由により水門扉を開放できないので、扉体に取付けたシーブの回転状態を確認することができなかった。
【０００６】
従って、水門扉が例えば図３に示したような多数本吊りの場合は、図４（ａ）のようなワイヤーロープ６が緊張した通常の状態から、ドラム２を巻き戻し方向に回転させて、図４（ｂ）のように第１のシーブ５ａに巻き回されたワイヤーロープ６ａ，６ｂを弛めて第１のシーブ５ａの回転状態を確認する。
【０００７】
次に、人力にてワイヤーロープ６を移動させて、図４（ｃ）や図４（ｄ）のように第２，第３のシーブ５ｂ，５ｃに巻き回されたワイヤーロープ６ｃ，６ｄと６ｅ，６ｆを順次弛めて、第２，第３のシーブ５ｂ，５ｃの回転状態を確認する。なお、確認後は、ドラム２を巻き取り方向に回転させて図４（ａ）の状態に戻す。なお、図４中の１０は架台に回転が自在なように取付けたシーブを示す。
【０００８】
すなわち、従来の巻上装置では、水門扉を開放せずに作動の確認を行う場合は、ワイヤーロープを人力にて移動させ、順次、弛み位置をずらせていかなければならず、時間と労力を要していた。また、その際、弛めたワイヤーロープには張力がかかっていないので、シーブの作動確認は作業者の目視判断に委ねられていた。
【０００９】
本発明が解決しようとする問題点は、従来の水門扉の巻上装置では、水門扉を開放せずに作動を確認する場合、人力で行わなければならないので、時間と労力を要し、また、その際のシーブの作動確認は作業者の目視判断に委ねられているという点である。
【課題を解決するための手段】
【００１０】
本発明の第１の水門扉の巻上動作確認方法は、
水門扉を開放せずに作動を確認する場合に、人力を必要とせずに機械的に行えるようにするために、
一端側はドラムに巻き回され、他端部はロープ端末装置に固定されると共に、中間部を扉体に取付けられたシーブに掛け回したワイヤーロープの巻き取り、巻き戻しによって水門扉の開閉を行う巻上装置における巻上動作を確認する方法であって、
前記ドラムの回転によるワイヤーロープの一端側の巻き戻しにより、前記シーブの一方側のワイヤーロープに弛みを発生させた後、前記ロープ端末装置に固定されたワイヤーロープ他端部の引き戻しにより、前記シーブの他方側のワイヤーロープの弛みをとる、
或いは、
前記ロープ端末装置に固定されたワイヤーロープ他端部の送り出しにより、前記シーブの他方側のワイヤーロープに弛みを発生させた後、前記ドラムの回転によるワイヤーロープの一端側の巻き取りにより、前記シーブの一方側のワイヤーロープの弛みをとることを最も主要な特徴としている。
【００１１】
また、本発明の第２の水門扉の巻上動作確認方法は、
水門扉を開放せずに作動を確認する場合に、人力を必要とせずに機械的に行えるようにするのに加えて、その際のシーブの作動確認を作業者の目視判断に委ねることなく確実に行うために、
一端側はドラムに巻き回され、他端部はロープ端末装置に固定されると共に、中間部を扉体に取付けられたシーブに掛け回したワイヤーロープの巻き取り、巻き戻しによって水門扉の開閉を行う巻上装置における巻上動作を確認する方法であって、
前記ドラムの回転によるワイヤーロープの一端側の巻き戻しと、前記ロープ端末装置に固定されたワイヤーロープ他端部の引き戻し、
或いは、
前記ドラムの回転によるワイヤーロープの一端側の巻き取りと、前記ロープ端末装置に固定されたワイヤーロープ他端部の送り出し、
を同調して行うことを最も主要な特徴としている。
【００１２】
前記本発明の水門扉の巻上動作確認方法は、
駆動源によって正逆回転するドラムの回転により、扉体に取付けたシーブを介してドラムとロープ端末装置を繋いだワイヤーロープを巻き取り、水門扉を開放する巻上装置において、
前記ロープ端末装置に、このロープ端末装置に固定された前記ワイヤーロープの他端部の移動機構を備えた本発明の巻上装置を用いて実施できる。
【００１３】
その際、前記本発明の第２の水門扉の巻上動作確認方法を実施するには、
前記本発明の巻上装置において、前記ドラムの駆動源による駆動と、前記ロープ端末装置に固定された前記ワイヤーロープの他端部の移動機構による移動を同調させる制御装置を備えさせることが望ましい。なお、この制御装置を備えた本発明の巻上装置で、前記本発明の第１の水門扉の巻上動作確認方法を実施できることは言うまでもない。
【００１４】
また、以上の本発明の巻上装置において、前記ワイヤーロープの張力計測装置を備えさせた場合には、前記本発明の第２の巻上動作確認方法を実施する際に、過荷重が作用した場合のワイヤーロープの切断や、水門扉が誤って開放するというようなことが防止できる。
【発明の効果】
【００１５】
本発明では、水門扉を開放せずにその作動を確認するに際し、人力を必要とせずに機械的に行うことができる。また、第２の本発明では、その際のシーブの作動確認を作業者の目視判断に委ねることなく確実に行うこともできる。
【発明を実施するための最良の形態】
【００１６】
以下、本発明を実施するための最良の形態を、図１を用いて詳細に説明する。
図１は本発明の水門扉の巻上動作確認方法を実施する本発明の巻上装置の要部を説明する図である。
【００１７】
図１は、ロープ端末装置３に設置された、ワイヤーロープ６の他端部の移動機構７の一例を示したものであり、既存の巻上装置にこの移動機構７を備えたものが本発明の巻上装置である。
【００１８】
すなわち、図２に示した従来の巻上装置のロープ端末装置３では、ナット３ｂの正逆回転によりスピンドル３ａとの螺合位置を変更し、ワイヤーロープ６の他端部を紙面上下方向に移動させて固定位値を調整できるが、調整後は、ワイヤーロープ６の他端部とロープ端末装置３との相対位置は固定されている。
【００１９】
これに対して、本発明の巻上装置では、図１に示したように、上下に配置した軸受７ｄによって回転自在に支持した前記ナット３ｂの外周にウォームホイール７ｃを取付け、このウォームホイール７ｃにウォーム７ａを螺合させている。そして、このウォーム７ａを例えばモータ７ｂによって正逆回転させることで、スピンドル３ａに連結したワイヤーロープ６を図１の紙面上下方向に３０〜５０cm程度移動できるように構成している。
【００２０】
また、図１に示した例では、球面座３ｃと架台１の間に例えばロードセル８を設け、ワイヤーロープ６の張力を計測できるようにしている。
さらに、図１に示した例では、駆動源によるドラムの回転と、前記移動機構７によるワイヤーロープ６の移動を同調させる制御装置９も併せて設置している。
【００２１】
以上の構成からなる本発明の巻上装置を用いて、水門扉を開放せずに作動を確認する場合には、例えばドラムの回転によるワイヤーロープ６の一端側の巻き戻しと、ロープ端末装置３に固定されたワイヤーロープ６の他端部の引き戻しを、同じ長さだけ、制御装置９によって同調して行ってシーブを回転させる。そして、その際、ロードセル８によりワイヤーロープ６の張力を計測し、ワイヤーロープ６に過荷重が作用していないか否かを確認しつつ行う。
【００２２】
この本発明の水門扉の巻上動作確認方法によれば、水門扉を開放することなく、水門扉の巻上動作の確認を、作業者の目視判断に委ねることなく、機械的に、確実に行うことができる。また、その際、ロードセル８の計測荷重によってワイヤーロープ６に過荷重が作用したか否かが分るので、巻上動作の確認中にワイヤーロープ６が切断したり、水門扉が開放したりすることがない。
【００２３】
本発明は、前記の例に限るものではなく、各請求項に記載の技術的思想の範囲内において、適宜実施の形態を変更しても良いことは言うまでもない。
【００２４】
例えば前述の本発明方法とは逆に、ドラムの回転によるワイヤーロープ６の一端側の巻き取りと、ロープ端末装置３に固定されたワイヤーロープ６の他端部の送り出しを同調して行っても良い。
また、前述の本発明の巻上装置は制御装置９を備えているが、この制御装置９は必ずしも必須ではない。
【００２５】
また、水門扉の巻上動作確認は、例えばドラム２を回転してワイヤーロープ６の一端側を巻き戻し、シーブ５の一方側のワイヤーロープ６に弛みを発生させた後、ロープ端末装置３に固定されたワイヤーロープ６の他端部を引き戻し、シーブ５の他方側のワイヤーロープ６の弛みをとるものでも良い。また、これとは逆に、ロープ端末装置３に固定されたワイヤーロープ６の他端部を送り出して、シーブ５の他方側のワイヤーロープ６に弛みを発生させた後、ドラム２を回転させてワイヤーロープ６の一端側を巻き取り、シーブ５の一方側のワイヤーロープ６の弛みをとるものでも良い。
【００２６】
また、前述の本発明の巻上装置ではロードセル８を備えているが、このロードセル８も必ずしも必須の構成要素ではない。但し、ロードセル８を設けない場合は、動作確認中に水門扉が開放しないか否かに気をつける必要がある。
【００２７】
また、本発明の巻上装置を構成するワイヤーロープ６の移動機構７は、前述の構成に限らず、ナット３ｂに替えてスピンドル３ａのねじ部にウォーム７ａを、直接螺合させたものでも良い。
【産業上の利用可能性】
【００２８】
本発明は、水門扉の巻上動作の確認を行うものだけでなく、ワイヤーロープを用いて昇降するものであれば、どのような物の巻上動作の確認にも適用が可能である。
【図面の簡単な説明】
【００２９】
【図１】本発明の水門扉の巻上動作確認方法を実施する巻上装置の要部の一例を説明する図で、（ａ）は縦断面図、（ｂ）は（ａ）のＢ−Ｂ断面図である。
【図２】従来の水門扉の巻上装置の要部を説明する図である。
【図３】多数本吊りの場合における従来の水門扉の巻上装置の概略構成を示す図である。
【図４】（ａ）〜（ｄ）は従来の水門扉の巻上動作確認方法を、順を追って説明する図である。
【符号の説明】
【００３０】
２    ドラム
３    ロープ端末装置
３ａ    スピンドル
４    扉体
５    シーブ
６    ワイヤーロープ
７    移動機構
８    ロードセル
９    制御装置
【図１】
2007023510.tif 000003
【図２】
2007023510.tif 000004
【図３】
2007023510.tif 000005
【図４】
2007023510.tif 000006